(57)【要約】【課題】装置本体を耳に当てながらモニタ画面を簡単に見ることができるとともに、それを嵩張らずに低コストで使い勝手良く実現した携帯電話装置を提供することである。【解決手段】装置本体２の裏面２ｂには、一端が装置本体２に回転可能に軸支され、他端が自由端であり、装置本体２に対して収納及び引き出し可能な支持手段１０と、支持手段１０を引き出して装置本体２を耳に当てたときに視認できる位置に来るように支持手段１０の自由端に設けられたモニタ３０とを備える。支持手段１０は、２本のリンク部材１１，１２を有し、リンク部材１１の一端が装置本体２の裏面２ｂに枢軸２１により回転可能に支持され、他端がリンク部材１２の一端と枢軸２２により連接されている。リンク部材１２の他端にはモニタ画面３１を有するモニタ３０が取付けられている。【選択図】      図１
2004312070.tif 000002
【特許請求の範囲】
【請求項１】
装置本体と、一端が装置本体に取付けられ、他端が自由端であり、装置本体に対して収納及び引き出し可能な支持手段と、支持手段を引き出して装置本体を耳に当てたときに視認できる位置に来るように支持手段の自由端に設けられたモニタとを備えたことを特徴とする携帯電話装置。
【請求項２】
支持手段は、枢軸を介して連結された複数のリンク部材を有することを特徴とする請求項１記載の携帯電話装置。
【請求項３】
装置本体とモニタとを電気的に接続する導線は、リンク部材に沿って配線されるとともに、中空の枢軸の内部を通過していることを特徴とする請求項２記載の携帯電話装置。
【発明の詳細な説明】
【０００１】
【発明の属する技術分野】
この発明は、装置本体を耳に当てながらでもモニタ画面を見ることができる携帯電話装置に関する。
【０００２】
【従来の技術】
最近の携帯電話装置は、一般に表示部（ＬＣＤ）を有しており、この表示部に受信情報（文字・画像）を表示できるようになっている。表示部の画面を見ながら、単に相手先の電話番号を入力するだけでなく、電子メールをやりとりするために各種キーを駆使して文字等を入力したり、インターネットで接続したサイトを閲覧したりする使い方が多くなっている。
【０００３】
ところで、携帯電話装置で相手と電話する場合、装置本体（受話器）を耳に当て、送話器を口許に向けるが、この使い方であると、音声を聞きながら表示部の画面を見ることができない。特に、高速・大容量通信化に伴い、ＴＶ電話が可能な携帯電話装置も増えつつある昨今では、ＴＶ電話機能を十分に活かせない。
【０００４】
そこで、画面を見ながら音声を聞けるようにするために、携帯電話本体とは別に、イヤホーンと、マイクロホンと、ヘッドセットアンテナと、耳掛け可能なヘッドセットホルダーとが設けられた送受信機装置を備え、携帯電話本体と送受信機装置との間で音声信号の無線送受信を行えるようにした技術がある（例えば、特許文献１参照）。
【０００５】
【特許文献１】
特開２０００−３２４２１８号公報
【０００６】
【発明が解決しようとする課題】
しかしながら、特許文献１記載の技術では、表示画面を見ながら電話するときは携帯電話本体の他に送受信機装置が必要であり、送受信機装置を携帯電話本体と一緒に携帯しなければならず、嵩張る上に、使用時には送受信機装置のヘッドセットホルダーを頭部に装着する手間が掛かり、余り使い勝手が良いものではない。
【０００７】
この発明は、そのような問題点に着目してなされたものであって、装置本体を耳に当てながらモニタ画面を簡単に見ることができるとともに、それを嵩張らずに低コストで使い勝手良く実現した携帯電話装置を提供することを目的としている。
【０００８】
【課題を解決するための手段】
前記目的を達成するために、本発明の携帯電話装置は、装置本体と、一端が装置本体に取付けられ、他端が自由端であり、装置本体に対して収納及び引き出し可能な支持手段と、支持手段を引き出して装置本体を耳に当てたときに視認できる位置に来るように支持手段の自由端に設けられたモニタとを備えたことを特徴とする。
【０００９】
この携帯電話装置では、普段は、支持手段が装置本体に対して収納されることで、モニタは装置本体に付設された状態にある。携帯時やモニタ画面を見ないで電話をする時などはそのまま装置本体を耳に当てて使用すればよい。一方、モニタ画面を見ながら音声を聞く（話をする）ときは、普段は収納されている支持手段を引き出し、装置本体を耳に当てた状態でモニタ画面を見ることができる位置までモニタを動かせばよい。
【００１０】
この携帯電話装置によると、モニタは支持手段により装置本体に付設されており、必要な時だけ引き出して使用することができるので、特許文献１のような電話本体とは別の送受信機装置は不要であり、携帯時にも嵩張らず、低コストであり、使用時にも引き出すだけでよいので、使い勝手が良い。
【００１１】
【発明の実施の形態】
以下、実施の形態により、この発明を更に詳細に説明する。
【００１２】
一実施形態に係る携帯電話装置の背面図を図１に示す。この携帯電話装置１Ａは、図面には示していないが、装置本体２の表面２ａにテンキーを含む各種操作キーと表示部（ＬＣＤ）を有し、装置本体２に伸縮自在にアンテナ３が設けられている。
【００１３】
装置本体２の裏面２ｂには、一端が装置本体２に枢軸２１により回転可能に軸支され、他端が自由端であり、装置本体２に対して収納（折り畳み）及び引き出し可能な支持手段１０と、支持手段１０を引き出して装置本体２を耳に当てたときに視認できる位置に来るように支持手段１０の自由端に設けられたモニタ３０とが装備されている。
【００１４】
支持手段１０は２本のリンク部材１１，１２を有し、リンク部材１１の一端が装置本体２の裏面２ｂに垂直な枢軸２１により回転可能に支持され、他端がリンク部材１２の一端と装置本体２の裏面２ｂと平行な枢軸２２により連接されている。リンク部材１２の他端にはモニタ画面３１を有するモニタ３０が取付けられている。枢軸２１により、リンク部材１１（及びリンク部材１２）は装置本体２の裏面２ｂと平行方向に回転可能であり、枢軸２２により、リンク部材１２は装置本体２の裏面２ｂに垂直方向に回転可能である。
【００１５】
従って、支持手段１０を折り畳んだときは、図１のように装置本体２の裏面２ｂにてリンク部材１１，１２を並行状態にすることができる。また、この折り畳んだ状態のとき、モニタ３０のモニタ画面３１はアンテナ３側を向くようになっている。
【００１６】
なお、図面には示していないが、モニタ３０と装置本体２とを電気的に接続する導線は、リンク部材１１，１２の内部に沿って配線されるとともに、中空の枢軸２１，２２の内部を通過している。
【００１７】
図１の状態で携帯電話装置１Ａを携帯すれば嵩張らない。モニタ画面３１を見ないで電話を掛けたり電子メールのやりとりをするときも、支持手段１０を折り畳んだままで使用すればよい。
【００１８】
モニタ画面３１を見ながら話をするときは、まず図２に示すように、リンク部材１１を枢軸２１を支点にしてリンク部材１２と一体に裏面２ｂと平行方向に９０°回転させる。次に、図３に示すように、リンク部材１２を枢軸２２を支点にしてリンク部材１１に対して裏面２ｂに垂直方向に１８０°回転させる。すると、モニタ３０のモニタ画面３１が装置本体２のアンテナ３側の側面を向く位置に来る（図４）。
【００１９】
これにより、ユーザは携帯電話装置１Ａの受話器を耳に当て、送話器を口許に向けても、モニタ画面３１を見ることができる。モニタ画面３１は、最も見やすい位置に来るように、リンク部材１１と裏面２ｂの縦方向軸との成す角度θ（図３参照）を調整したり、リンク部材１１に対するリンク部材１２の角度を調整すればよい。支持手段１０を折り畳むときは、前記と逆の手順で行えばよい。
【００２０】
この携帯電話装置１Ａによれば、支持手段１０を引き出せば、モニタ３０のモニタ画面３１を見ながら電話をすることができる上に、それをしないときはモニタ３０を装置本体２の裏面２ｂに仕舞っておくことができ、携帯時等に嵩張らず、非常に使い勝手がよい。
【００２１】
別実施形態に係る携帯電話装置を図５〜図８（各々図１〜図４に対応）に示す。この携帯電話装置１Ｂは、支持手段１０の構造が異なる以外は、上記携帯電話装置１Ａと同じ構成である。従って、同じ構成要素には同一符号を付してある。
【００２２】
ここでの支持手段１０は２本のロッド部材１５，１６を有し、ロッド部材１５の一端が装置本体２の裏面２ｂに垂直な枢軸２１により回転可能に支持され、ロッド部材１５内にロッド部材１６が出入可能に挿入されている。ロッド部材１６の他端にはモニタ画面３１を有するモニタ３０が取付けられている。枢軸２１により、ロッド部材１５（及びロッド部材１６）は装置本体２の裏面２ｂと平行方向に回転可能である。
【００２３】
ロッド部材１６をロッド部材１５内に入れ、支持手段１０を収納したときは、モニタ３０のモニタ画面３１はアンテナ３とは反対側を向くようになっている。また、モニタ３０と装置本体２とを電気的に接続する導線は、ロッド部材１５，１６の内部に沿って配線されるとともに、中空の枢軸２１の内部を通過している。
【００２４】
図５の状態で携帯電話装置１Ｂを携帯すれば嵩張らない。モニタ画面３１を見ないで電話を掛けたり電子メールのやりとりをするときも、支持手段１０を収納したままで使用すればよい。
【００２５】
モニタ画面３１を見ながら話をするときは、まず図６に示すように、ロッド部材１５を枢軸２１を支点にして裏面２ｂと平行方向に９０°回転させる。次に、図７に示すように、ロッド部材１６をロッド部材１５から引き出す。すると、モニタ３０のモニタ画面３１が装置本体２のアンテナ３側の側面を向く位置に来る（図８）。
【００２６】
従って、同様にユーザは携帯電話装置１Ｂの受話器を耳に当て、送話器を口許に向けても、モニタ画面３１を見ることができる。この携帯電話装置１Ｂでも、前記と同様の効果が得られる。
【００２７】
なお、携帯電話装置１Ｂでは、ロッド部材１５，１６は断面四角形状であるが、共に断面円形状にしてもよい。断面円形状のロッド部材１５，１６であれば、図７及び図８の状態で、ロッド部材１６を回転させることで、モニタ画面３１の向きを調整できる。
【００２８】
また、上記実施形態において、モニタ３０は、画像や文字を視認可能に表示するモニタ画面３１だけでなく、それに加えて撮像装置（カメラ）を備えるようにしてもよい。
【００２９】
この他、支持手段１０を収納した際には、支持手段１０を構成する部材（リンク部材１１，１２、ロッド部材１５，１６等）及びモニタ３０が全て、装置本体２の外延領域内に位置すること（外延からはみ出さないこと）が望ましい。
【００３０】
【発明の効果】
以上説明したように、本発明によれば、モニタは支持手段により装置本体に付設されており、必要な時だけ引き出して簡単に使用することができるので、特許文献１のような電話本体とは別の送受信機装置は不要であり、携帯時にも嵩張らず、低コストであり、使用時にも引き出すだけでよいので、使い勝手が良い。
【図面の簡単な説明】
【図１】一実施形態に係る携帯電話装置において、支持手段を収納した状態での装置本体の背面図である。
【図２】図１の状態から支持手段を第１段階まで引き出した状態での装置本体の背面図である。
【図３】図２の状態から支持手段を第２段階まで引き出し、装置本体を耳に当てたままモニタ画面が見える状態での装置本体の背面図である。
【図４】図３の状態において装置本体の上方向から見た装置本体の側面図である。
【図５】別実施形態に係る携帯電話装置において、支持手段を収納した状態での装置本体の背面図である。
【図６】図５の状態から支持手段を第１段階まで引き出した状態での装置本体の背面図である。
【図７】図６の状態から支持手段を第２段階まで引き出し、装置本体を耳に当てたままモニタ画面が見える状態での装置本体の背面図である。
【図８】図７の状態において装置本体の上方向から見た装置本体の側面図である。
【符号の説明】
１Ａ，１Ｂ    携帯電話装置
２            装置本体
２ｂ          装置本体の裏面
３            アンテナ
１０          支持手段
１１，１２    リンク部材
１５，１６    ロッド部材
２１，２２    枢軸
３０          モニタ
３１          モニタ画面
【図１】
2004312070.tif 000003
【図２】
2004312070.tif 000004
【図３】
2004312070.tif 000005
【図４】
2004312070.tif 000006
【図５】
2004312070.tif 000007
【図６】
2004312070.tif 000008
【図７】
2004312070.tif 000009
【図８】
2004312070.tif 000010